(57)【要約】  【課題】  ベースプレート側の構造を簡素化し、且つベースプレート側の肉厚を薄くする。  【解決手段】  ディスク記録及び／又は再生装置１は、筐体２のディスク出入口３からディスクをベースプレート４と天面プレート５の間に挿入し、モータ９２と、該モータ９２の回転を搬送ローラ３２，３３に伝達する回転伝達部９３と、からなるディスク搬送機構９１で前記搬送ローラ３２，３３を回転させてこれら搬送ローラ３２，３３によりディスクをディスクテーブル１２上に搬送する。前記回転伝達部９３を、ベースプレートに配置されたベースプレート側の回転伝達部９４と、天面プレートに配置された天面プレート側の回転伝達部９５と、で構成し、前記回転伝達部９３を、ベースプレートと天面プレートに分散して配置した。  【選択図】  図２０
2005044444.tif 000002
【特許請求の範囲】
【請求項１】
筐体のディスク出入口からディスクをベースプレートと天面プレートの間に挿入し、モータと、該モータの回転を搬送ローラに伝達する回転伝達部と、からなるディスク搬送機構で前記搬送ローラを回転させて前記ディスクをディスクテーブルの位置に搬送するディスク記録及び／又は再生装置において、
前記回転伝達部は、天面プレートに配置されていることを特徴とするディスク記録及び／又は再生装置。
【請求項２】
筐体のディスク出入口からディスクをベースプレートと天面プレートの間に挿入し、モータと、該モータの回転を搬送ローラに伝達する回転伝達部と、からなるディスク搬送機構で前記搬送ローラを回転させて前記ディスクをディスクテーブルの位置に搬送するディスク記録及び／又は再生装置において、
前記回転伝達部は、ベースプレートに配置されたベースプレート側の回転伝達部と、天面プレートに配置された天面プレート側の回転伝達部と、で構成されていることを特徴とする請求項１に記載のディスク記録及び／又は再生装置。
【請求項３】
前記ベースプレートは、前記ベースプレート側の回転伝達部の他にモータ、ディスクテーブル及び光学ピックアップを搭載したメカシャーシを備え、
前記天面プレートは、ディスクチャッキング機構を備えていることを特徴とする請求項２に記載のディスク記録及び／又は再生装置。
【請求項４】
前記ディスクチャッキング機構は、チャッキング部材と、チャッキング部材を支持しているチャッキング部材支持アームと、を備え、
前記チャッキング部材支持アームは、チャッキング解除位置においては天面パネル上に所定の傾斜角度で起き上がった状態になっていて、前記メカシャーシが上昇してきたときにこれに連動して下降して前記チャッキング部材によりディスクをディスクテーブル上にマグネットチャッキングすることを特徴とする請求項２に記載のディスク記録及び／又は再生装置。
【請求項５】
前記天面プレート側の回転伝達部は、前記天面プレートに配置されたディスクチャッキング機構の高さの範囲内に配置されている特徴とする請求項３に記載のディスク記録及び／又は再生装置。
【発明の詳細な説明】
【技術分野】
【０００１】
本発明は、筐体のディスク出入口からベースプレートと天面プレートの間に挿入したディスクを搬送ローラでディスクテーブル上に搬送したのちチャッキングして記録及び／又は再生を行うようにしたディスク記録及び／又は再生装置に関するものである。
【背景技術】
【０００２】
上記ディスク記録及び／又は再生装置において、搬送ローラは、ディスク搬送機構によって回転駆動されて、ディスクを搬送するようになっている。前記ディスク搬送機構は、モータと、該モータの回転を前記搬送ローラに伝達する回転伝達部と、を備えている。そして、筐体に設けたディスク出入口からディスクを挿入すると、前記ディスク搬送機構で搬送ローラを回転させてディスクを搬送してディスクテーブル上にチャッキングし、ディスクの記録及び／又は再生を行ない、記録及び／又は再生終了後は再びディスク搬送機構によってディスクを搬送して筐体に設けたディスク出入口から外部に排出する構成になっている。（例えば、特許文献１参照）
【特許文献１】特開２００３−１５１１９３号公報
【発明の開示】
【発明が解決しようとする課題】
【０００３】
上記従来のディスク記録及び／又は再生装置において、前記ディスク搬送機構を構成するモータと、該モータの回転を前記搬送ローラに伝達する回転伝達部と、をベースプレート側に配置していたためにベースプレート側の構造が複雑になったり、ベースプレート側の肉厚、ひいてはディスク記録及び／又は再生装置全体の肉厚が厚くなってしまうという問題点があった。
【０００４】
本発明の目的は、上記従来の問題点を解決し、ベースプレート側の構造を簡素化し、且つベースプレート側の肉厚を薄くすることのできるディスク記録及び／又は再生装置を提供することにある。
【課題を解決するための手段】
【０００５】
請求項１の発明は、筐体のディスク出入口からディスクをベースプレートと天面プレートの間に挿入し、モータと、該モータの回転を前記搬送ローラに伝達する回転伝達部と、からなるディスク搬送機構で搬送ローラを回転させて該搬送ローラによりディスクをディスクテーブル上に搬送するディスク記録及び／又は再生装置において、
前記回転伝達部を、天面プレートに配置することにより、
今迄、回転伝達部を配置するために苦慮していたベースプレートのスペース的制約を無くしベースプレート側の設計の自由度を向上させることができる一方、今迄、有効に使用されていなかった天面プレートの未使用スペースを有効に使用することができる。
【０００６】
請求項２の発明は、請求項１に記載のディスク記録及び／又は再生装置において、
前記回転伝達部を、ベースプレートに配置されたベースプレート側の回転伝達部と、天面プレートに配置された天面プレート側の回転伝達部と、で構成し、前記回転伝達部を、ベースプレートと天面プレートに分散して配置した。
【０００７】
請求項３の発明は、請求項１に記載のディスク記録及び／又は再生装置において、
前記ベースプレート側にモータ、ディスクテーブル及び光学ピックアップを搭載したメカシャーシを設け、前記天面プレート側にディスクチャッキング機構を設けた。
【０００８】
請求項４は、請求項３に記載のディスク記録及び／又は再生装置において、
前記ディスクチャッキング機構を、チャッキング部材と、チャッキング部材を支持しているチャッキング部材支持アームと、で構成し、前記メカシャーシが下降位置にあるときは、前記チャッキング部材支持アームが天面パネル上に所定の傾斜角度で起き上がった状態になっていて、前記メカシャーシが上昇してきたときにこれに連動して下降する構成にした。
【０００９】
請求項５は、請求項４に記載のディスク記録及び／又は再生装置において、
前記天面プレート側の回転伝達部を、前記天面プレートに配置されたディスクチャッキング機構の高さの範囲内に配置した。
【発明の効果】
【００１０】
請求項１のディスク記録及び／又は再生装置は、回転伝達部を、天面プレートに配置したので、そのぶんベースプレート側の構造を簡素化し、且つベースプレート側の肉厚ひいてはディスク記録及び／又は再生装置全体の肉厚を薄くすることができる。
【００１１】
請求項２のディスク記録及び／又は再生装置は、ディスク搬送機構の回転伝達部を、ベースプレート側と天面プレート側に略均等に配置することができる。
【００１２】
請求項３のディスク記録及び／又は再生装置は、回転伝達部を天面プレート側に分散して配置したので、そのぶんベースプレート側の構造を簡素化し、且つベースプレート側の肉厚ひいてはディスク記録及び／又は再生装置全体の肉厚を薄くすることができる。
【００１３】
請求項３のディスク記録及び／又は再生装置は、ベースプレート側にディスクテーブルを設け、天面プレート側にディスクチャッキング機構を設けたので、天面プレートをベースプレート側に向けて移動させることによりディスクのチャッキングを行なうことができる。
【００１４】
請求項４のディスク記録及び／又は再生装置は、メカシャーシが上昇するとチャッキングプレートが自動的に下降してチャッキングが円滑に行われる。
【００１５】
請求項５のディスク記録及び／又は再生装置は、前記天面プレートに配置されたディスクチャッキング機構の周縁部の未利用空間、所謂デェットスペースを利用して天面プレート側の回転伝達部を配置することができる。特に、チャッキング部材支持アームが天面パネル上に所定の傾斜角度で起き上がった状態になっている場合には、ディスクチャッキング機構が占める高さが大になるがディスクチャッキング機構を設けることにより前記空間を有効に利用することができる。
【発明を実施するための最良の形態】
【００１６】
次に本発明の最良の実施の形態を（１）ディスク記録及び／又は再生装置全体の概略構成、（２）筐体、メカシャーシ、ディスクチャッキング機構の構成、（３）メカシャーシロック機構、（４）ディスク挿入ガイド機構の構成、（５）スイッチ機構の構成、（６）ディスクセンタリング部材の構成、（７）ディスク搬送機構の構成、（８）ギヤ切換機構の構成、（９）メカシャーシ昇降機構の構成、（１０）搬送ローラ接離機構の構成、（１１）ディスク重複挿入防止機構の構成、（１２）作用、の順に説明する。
【００１７】
（１）ディスク記録及び／又は再生装置全体の概略構成
ディスク記録及び／又は再生装置１は、筐体２に設けたディスク出入口３からディスクを挿入すると、該ディスクは、前記ディスク出入口３の内側に配置したディスク挿入ガイド機構３１（図７、図８参照）によりガイドされて筐体２内に挿入される。
【００１８】
ディスクが所定の位置まで挿入されるとスイッチ機構６１（図１０〜１２参照）によりディスク搬送機構９１（図１９、図２０参照）のモータ９２のスイッチが入り、ディスクは、搬送ローラ３２，３３でディスクテーブル１２の略真上に搬送されてディスクセンタリング部材８１（図１３、図１４参照）により位置決めされる。
【００１９】
ディスクがディスクテーブル１２の略真上に位置決めされた後にギヤ切換機構１３１（図２１〜２５参照）が作動し、前記ディスク搬送機構９１のモータ９２によってメカシャーシ昇降機構１５１（図２６、図２７参照）を駆動し、メカシャーシ１１に搭載されているディスクテーブル１２をディスク側に移動させて、ディスクをディスクテーブル１２上にチャッキングする。ディスクテーブル１２上にディスクをチャッキングした後に搬送ローラ接離機構１６１（図２２〜図２５、図２８参照）により搬送ローラ３２，３３をディスクから離間させ、ディスクを搬送ローラ３２，３３の拘束から開放してディスクの回転フリーの状態にすると共に、ディスク重複挿入防止機構１７１（図２９、図３０参照）により前記ディスク出入口３を遮断して他のディスクの重複挿入を不可能にする。そして、記録及び／又は再生を行なう。
【００２０】
記録及び／又は再生終了後にイジェクト釦を押すと前記モータ９２が逆転して、ディスク重複挿入防止機構１７１によるディスク出入口３の遮断が解除され、ディスクがディスク出入口３から排出されると共に、メカシャーシロック機構１９１（図３５、図３６参照）によりロックされる。
【００２１】
（２）筐体、メカシャーシ、ディスクチャッキング機構の構成
図１、図２に示すように、筐体２は、ベースプレート４と、天面パネル５と、を備えていて、これらベースプレート４と天面パネル５との間にディスク出入口３が設けられている。ディスク出入口３は、８ｃｍのディスク６と１２ｃｍのディスク７の両方を挿入することのできる大きさに形成されている。ベースプレート４にはメカシャーシ１１が取付けられている。
【００２２】
図３、図４に示すように、メカシャーシ１１は、ディスクテーブル（ターンテーブル）１２や光学ピックアップ１３等を搭載している。メカシャーシ１１は、軸１４によってベースプレート４に回動可能に取付けられていて、ディスクテーブル１２をディスクチャッキング解除位置（図３参照）と、ディスクチャッキング位置（図４参照）との間で昇降させるようになっている。
【００２３】
メカシャーシ１１は、ディスクチャッキング解除位置に移動してきたときに、次に説明するメカシャーシロック機構１９１（図３５、図３６参照）によりベースプレート４側に固定（ロック）されるようになっている。
【００２４】
図3、図4に示すように、天面パネル５にはディスクチャッキング機構２１が設けられている。ディスクチャッキング機構２１は、チャッキング部材２２と、チャッキング部材２２を支持しているチャッキング部材支持アーム２３と、を備えている。
【００２５】
図５、図６に拡大して示すように、チャッキング部材２２は、鉄等の磁性金属板をインサートした合成樹脂により略円板状に形成されている。チャッキング部材支持アーム２３は、二股状のプレート支持部２４を有していて該レート支持部２４を前記チャッキング部材２２の外周面に設けた凹部２５に挿入することによりチャッキング部材２２を支持するようになっている。チャッキング部材支持アーム２３は、軸２６により天面パネル５に起伏回動可能に取付けられている。チャッキング部材支持アーム２３は、一端部２３ａ側をアーム操作部材２７によって押し下げることにより前記軸２６を中心に時計方向の回動力を付与されていて、前記チャッキング部材支持アーム２３を天面パネル５上に所定の傾斜角度で起き上がらせている。（図５参照）。
【００２６】
そして、前記アーム操作部材２７によるチャッキング部材支持アーム２３の一端部２３ａ側の押し下げを解除すると、チャッキング部材支持アーム２３は、捩りコイルバネ２８のバネ力で反時計方向に回動して、チャッキング位置に移動するようになっている。（図６参照）。
【００２７】
（３）メカシャーシロック機構の構成
図３５に示すように、メカシャーシロック機構１９１は、メカシャーシ１１がディスクチャッキング解除位置にあるときにメカシャーシ１１を筐体２のベースプレート４側に揺動不可能に係止するチャッキング解除時ロック部１９２を備えている。
【００２８】
前記チャッキング解除時ロック部１９２は、メカシャーシ１１の自由端側の略中央部と一側部に設けられた第1，第2の被ロック部１９３，１９４と、チャッキング解除時に前記第1，第2の被ロック部１９３，１９４に係合する第1，第2のロック部１９５，１９６と、で構成されている。
【００２９】
前記第1，第2のロック部１９５，１９６は、後に詳しく説明するディスク重複挿入防止機構１７１のスライド部材１８２に設けられている。前記第1，第2のロック部１９５，１９６の一端部は、傾斜面１９７になっていて、前記スライド部材１８１がディスクチャッキング解除位置に移動してきた時に、前記傾斜面１９７で前記第1，第2の被ロック部１９３，１９４を押し下げるように係合してメカシャーシ１１をディスクチャッキング解除位置にロックしている。なお、図３５はメカシャーシ１１を下面側から見ている状態を表示しているので第1，第2のロック部１９５，１９６によって第1，第2の被ロック部１９３，１９４が押し上げられているように見えるが、実際は図３に示すように第1，第2のロック部１９５，１９６によって第1，第2の被ロック部１９３，１９４は押し下げられている。
【００３０】
また、前記スライド部材１８１がディスクチャッキング解除位置からディスクチャッキング位置に移動すると、図３６に示すように、第1，第2のロック部１９５，１９６と第1，第2の被ロック部１９３，１９４の係合が解除される。そして、前記スライド部材１８１がディスクチャッキング位置にくると前記スライド部材１８１に設けた第３のロック部１９８と、前記第1の被ロック部１９３と、からなるチャッキング時ロック部１９９によって、具体的には前記第３のロック部１９７で前記第1の被ロック部１９３を押し上げるように係合してメカシャーシ１１をディスクチャッキング位置にロックしている。なお、図３６はメカシャーシ１１を下面側から見ている状態を表示しているので第３のロック部１９８によって第1の被ロック部１９３が押し下げられているように見えるが、実際は図４に示すように第３のロック部１９８によって第1の被ロック部１９３は押し上げられている。
【００３１】
（３）ディスク挿入ガイド機構の構成
ディスク挿入ガイド機構は、ディスクの中央部をディスク出入口の中央部に合せた状態でディスクをディスク出入口から筐体内に挿入するためのものである。
【００３２】
図７に示すように、ディスク挿入ガイド機構３１は、一対の搬送ローラ（以下、第１，第２のローラと称する）３２，３３と、第１，第２のローラ３２，３３を取付けた一対の回動アーム（以下、第１，第２のアームと称する）３４，３５と、第１，第２のアームに回動力を付与している捩りコイルバネ（以下、第１，第２のバネと称する）３６，３７と、第１，第２のアーム３４，３５を同期させて互いに接近、離間する方向に移動させる同期駆動用のギヤ群３８と、を備えている。
【００３３】
前記第１のアーム３４は、略扇形に形成されていて、扇の要の部分が第１の軸４１によって前記天面パネル５のディスク出入口３側の一端部に回動可能に取付けられていると共に、自由端側には前記第１の軸４１を中心にして円弧状のギヤ４２が設けられている。
【００３４】
第１のアーム３４は、前記第１のバネ３６により反時計方向の回動力を付与されて、ディスク出入口３に接近した位置で停止している。この状態において、第１のアーム３４に取付けられている第１のローラ３２は、ディスク出入口３の中心位置ＣＬから所定の距離Ｌ１離れた位置にある。
【００３５】
第２のアーム３５も前記第１のアーム３４と同様に、略扇形に形成されていて、扇の要の部分が第２の軸４３によって前記天面パネル５のディスク出入口側の他端部に回動可能に取付けられていると共に、自由端側には前記第２の軸４３を中心にして円弧状のギヤ４４が設けられている。
【００３６】
第２のアーム３５は、前記第２のバネ３７により時計方向の回動力を付与されて、ディスク出入口３に接近した位置で停止している。この状態において、第２のアーム３５に取付けられている第２のローラ３３は、ディスク出入口３の中心位置ＣＬから所定の距離Ｌ２離れた位置にあり、第１のローラ３２と第２のローラ３３の間隔Ｌ１＋Ｌ２は、８ｃｍ以下になっている。
【００３７】
また、図８に示すように第１のアーム３４が時計方向に最も回動し、第２のアーム３５が反時計方向に最も回動した状態において、第１のローラ３２と第２のローラ３３の間隔Ｌ３は、１２ｃｍを超えて、第１のローラ３２と第２のローラ３３が１２ｃｍのディスク７と非接触状態になる。
【００３８】
同期駆動用のギヤ群３８は、第１のアーム３４の扇形のギヤ４２に噛合する第１のギヤ５１と、第２のアーム３５の扇形のギヤ４４に噛合する第２のギヤ５２と、これら第１，第２のギヤ５１，５２の間に介在された第３〜第６のギヤ５３〜５６と、からなっている。
【００３９】
そして、前記第１，第２のアーム３４，３５のいずれか一方のアームを回動させると、他方のアームもこれと同期して回動して、第１，第２のアーム３４，３５を、互いに接近、離間する方向に移動させるようになっている。
【００４０】
なお、図９に示すように、第１，第２のローラ３２，３３は、周面が断面略＜状に形成されていて、ディスク出入口３から挿入されて来たディスク６，７の周縁部の上下のエッジ部８を挟むようになっている。
【００４１】
（４）スイッチ機構の構成
スイッチ機構は、ディスクがディスク出入口から所定の位置まで挿入されたときに、ディスク搬送機構のモータのスイッチを入れるものである。
【００４２】
図１０〜図１２に示すように、スイッチ機構６１は、第１，第２のスイッチ６２，６３と、これら第１，第２のスイッチ６２，６３を順次、押圧操作するスイッチ操作レバー６４と、該スイッチ操作レバー６４を操作する回転カム６５と、該回転カム６５を前記ディスク挿入ガイド機構３１の第２のアーム３５の回動に連動させて回転させる連動ギヤ群６６と、を備えている。
【００４３】
前記連動ギヤ群６６は、回転カム６５に設けた円弧状のギヤ６７と、該円弧状のギヤ６７に噛合する第７のギヤ６８と、該第７のギヤ６８に噛合する第８のギヤ６９と、を備えている。前記第８のギヤ６９は、前記ディスク挿入ガイド機構３１の第２のギヤ５２に噛合している。
【００４４】
前記回転カム６５は、軸受筒部７０を有していて、該軸受筒部７０内に天面パネル５に設けたカム取付軸（図示省略）を挿入することにより該カム取付軸を中心にして回転可能に天面パネル５に取付けられている。
【００４５】
前記円弧状のギヤ６９は、前記軸受筒部７０を中心として円弧状に形成されている。前記回転カム６５は、円弧状のギヤ６７と第７，第８のギヤ６８，６９とからなる連動ギヤ群６６及び前記同期駆動用のギヤ群３８を介して、前記第１のアーム３４に連動して回動するようになっている。
【００４６】
前記回転カム６５は、前記軸受筒部７０を挟んで前記扇形のギヤ６９と略反対側に第１〜第３のカム面７１〜７３を備えている。
【００４７】
前記スイッチ操作レバー６４は、一端部が軸６４ａにより回動可能にベースプレート側に取付けられている。前記スイッチ操作レバー６４は、中央部に前記回転カム６５の第１〜第３のカム面７１〜７３と接触する円形状の接触部６４ｂが設けられていて、該接触部６４ｂを挟むようにしてその両側部に前記第１のスイッチ６２を押圧する第１のスイッチ操作部６４ｃと前記第２のスイッチ６３を押圧する第１のスイッチ操作部６４ｄとが設けられている。
【００４８】
図１０に示すように、ディスクがディスク出入口３に挿入される前には、前記第１のカム面７１に前記スイッチ操作レバー６４の接触部６４ｂが接触して、第１のスイッチ６２及び第２のスイッチ６３をＯＦＦ状態に保つ。
【００４９】
図１１に示すように、ディスクがディスク出入口３から挿入されて来て、ディスクにより第１，第２のアーム３４，３５が所定の距離以上開いたときに前記第２のカム面７２に前記スイッチ操作レバー６４の接触部６４ｂが接触して、前記第１のスイッチ操作部６４ｃで第１のスイッチ６２をＯＮ状態にし、前記第２のスイッチ操作部６４ｄで第２のスイッチ６３をＯＦＦ状態に保つ。
【００５０】
図１２に示すように、第１，第２のアーム３４，３５が更に所定の距離以上開いたときに前記第３のカム面７３に前記スイッチ操作レバー６４の接触部６４ｂが接触して、前記第１のスイッチ操作部６４ｃで第１のスイッチ６２をＯＮ状態にし、前記第２のスイッチ操作部６４ｄで第２のスイッチ６３をＯＮ状態にする。
【００５１】
スイッチ機構６１は、第１のスイッチ６２及び第２のスイッチ６３がＯＦＦ状態にあるときは、後に説明するディスク搬送機構９１のモータ９２を停止させ、第１のスイッチ６２をＯＮ状態にするとモータを起動させ、第１のスイッチ６２及び第２のスイッチ６３をＯＮ状態にすることによりモータの回転（ＲＰＭ）を制御するようになっている。
【００５２】
（５）ディスクセンタリング部材の構成
ディスクセンタリング部材は、ディスク出入口から挿入されて来たディスクの中心部をディスクテーブル上に位置させるためのものであり、直径の異なるディスク、例えば、８ｃｍのディスクを挿入した場合にも、１２ｃｍのディスクを挿入した場合にも、これらディスクの中心部をディスクテーブルの略真上に位置させることができるようにすると共に、直径の違うディスクでもセンタリング終了後にギヤ切換機構を押圧操作することができるようにしたものである。
【００５３】
図１３、図１４に示すように、ディスクセンタリング部材８１は、一端側にディスク当接部８２を有し、他端側に後に説明するギヤ切換機構１３１のラック１３４を押圧操作する操作部８３を有し、これらディスク当接部８２と操作部８３の間が軸８４により回転可能に枢支されている。そして、次に説明するディスク搬送機構９１により搬送されてきたディスクが前記ディスク当接部８２に当接して該ディスク当接部８２が押圧されると前記軸８４を中心に回動しディスクの中央部がディスクテーブル１２の略真上にくると前記回転カム６５に設けたスットパー８５によって回動が停止して前記ディスク当接部８２でディスクの位置決めを行なうようになっている。
【００５４】
前記ディスク当接部８２は、８ｃｍのディスク６が搬送されてきたときに該ディスク６が当接してディスクセンタリング部材８１を前記８ｃｍのディスク６がセンタリングされる位置まで所定量回動させる第１のディスク当接部８２Ａと、１２ｃｍのディスク７が搬送されてきたときに該ディスク７が当接してディスクセンタリング部材８１を前記第１のディスク当接部８２Ａと同量回動させる第２のディスク当接部８２Ｂと、で構成されている。
【００５５】
前記第１のディスク当接部８２Ａと第２のディスク当接部８２Ｂは、前記軸８４からの距離及び回転方向の位相を変えることにより８ｃｍのディスク６と１２ｃｍのディスク７の直径の差を補正して、これら８ｃｍのディスク６と１２ｃｍのディスク７をセンタリングするまでのディスクセンタリング部材８１を回動量を略等しくし、かつ第１のディスク当接部８２Ａには１２ｃｍのディスク７が干渉（接触）せず、第２のディスク当接部８２Ｂには８ｃｍのディスク７が干渉しないようになっている。
【００５６】
ディスクセンタリング部材８１は、前記軸８４を前記回転カム６５に設けた軸受８６に挿入することにより前記回転カム６５上に回動可能に取付けられている。また、ディスクセンタリング部材８１は、前記軸８４を中心にして円弧状に形成された長孔８７を有していて、該長孔８７内に前記回転カム６５に設けた軸受筒部７０を挿入することにより、前記長孔８７の範囲内で前記軸８４を中心に回動可能になっている。
【００５７】
前記第１のディスク当接部８２Ａと第２のディスク当接部８２Ｂは、前記軸８４を中心にして前記長孔８７と略反対側に設けられている。前述したように、前記第１のディスク当接部８２Ａには、ディスク出入口３から挿入されて来た８ｃｍのディスク６の先端部の近傍が当接し、第２のディスク当接部８２Ｂには、ディスク出入口３から挿入されて来た１２ｃｍのディスク７の先端部が当接するようになっている。
【００５８】
第１のディスク当接部８２Ａは、第２のディスク当接部８２Ｂよりも前記軸８４から離れた位置に形成されている。第２のディスク当接部８２Ｂは、第１のディスク当接部８２Ａよりも前記軸８４に近い位置で、且つ８ｃｍのディスク７が接触しない位置に形成されている。そして、前記軸８４から第１のディスク当接部８２Ａまでの距離と第２のディスク当接部８２Ｂまでの距離の差は、８ｃｍのディスク６と１２ｃｍのディスク７のセンタリング終了までのディスクセンタリング部材８１の回動量が略同じになるように設定されている。
【００５９】
前記長孔８７の一端部には半円筒状の突起８８が設けられている。前記半円筒状の突起８８の上端には、前記長孔８８を覆うように庇状の舌片８９が設けられていて、該舌片８９の先端部に前記操作部８３が設けられていて、該操作部８３で後に説明するギヤ切換機構１３１のラック１３４を押圧操作するようになっている。
【００６０】
図１５に示すように、次に説明するディスク搬送機構９１によりディスク出入口から搬送されて来た８ｃｍのディスク６の先端部が第１のディスク当接部８２Ａに当接すると、ディスクセンタリング部材８１は押されて前記軸８４を中心にして反時計方向に回動する。
【００６１】
図１６に示すように、前記８ｃｍのディスク６の中央部が前記ディスクテーブル１２の略真上まで移動して来ると、ディスクセンタリング部材８１は、ストッパー８５により更なる回動を阻止されて、８ｃｍのディスク６の位置決めを行なうと共に、前記操作部８３でギヤ切換機構１３１のラック１３４を押圧操作する。
【００６２】
また、図１７に示すように、ディスク搬送機構９１により搬送されて来た１２ｃｍのディスク７の先端部の近傍で第２のディスク当接部８２Ｂが押圧されると、ディスクセンタリング部材８１は、前記軸８４を中心にして反時計方向に回動する。
【００６３】
図１８に示すように、前記１２ｃｍのディスク７の中央部が前記ディスクテーブル１２の略真上まで移動して来ると、ディスクセンタリング部材８１は、ストッパー８５により更なる回動を阻止されて、１２ｃｍのディスク７の位置決めを行なうと共に、前記操作部８３でギヤ切換機構１３１のラック１３４を押圧操作する。
【００６４】
（６）ディスク搬送機構の構成
ディスク搬送機構は、ディスク出入口３に挿入されたディスクの搬送を行なうものである。
【００６５】
図１９、図２０に示すように、ディスク搬送機構９１は、前記スイッチ機構６１によりＯＮ、ＯＦＦ操作されるモータ９２と、該モータ９２の回転を前記第１のローラ３２及び第２のローラ３３に伝達する回転伝達部９３と、を備えている。
【００６６】
回転伝達部９３は、ベースプレート４に設けられたベースプレート側の回転伝達部９４（図１９）と、天面パネル５に設けられた天面パネル側の回転伝達部９５（図２０）と、からなっている。
【００６７】
図１９に示すように、ベースプレート側の回転伝達部９４は、モータ９２の軸に設けられた第１のプーリ９６と、該第１のプーリ９６に一端側を掛けられたエンドレスベルト９７と、該エンドレスベルト９７の他端側が掛けられた第２のプーリ９８と、該第２のプーリ９８の回転軸に設けられた第１１のギヤ９９と、該第１１のギヤ９９に噛合している第１２のギヤ１００と、該第１２のギヤ１００と一体に形成された第１３のギヤ１０１と、該第１３のギヤ１０１に噛合している第１４のギヤ１０２と、該第１４のギヤ１０２に噛合している第１５のギヤとしての揺動ギヤ１０３と、該第１５のギヤとしての揺動ギヤ１０３が噛合可能な第１６のギヤ１０４と、該第１６のギヤ１０４に噛合している第１７のギヤ１０５と、該第１７のギヤ１０５に噛合している第１８のギヤ１０６と、該第１８のギヤ１０６に噛合している第１９のギヤ１０７と、該第１９のギヤ１０７に噛合している第２０のギヤ１０８と、該第２０のギヤ１０８に噛合している第２１のギヤ１０９と、該第２１のギヤ１０９に噛合している第２２のギヤ１１０と、前記第１６のギヤ１０４に噛合している第２３のギヤ１１１と、を備えている。
【００６８】
前記第２２のギヤ１１０は、前記第１のアーム３４の回動中心である第１の軸４１の外周に回転自在に取付けられ、前記第２３のギヤ１１１は、前記第２のアーム３５の回動中心である第２の軸４３の外周に回転自在に取付けられている。
【００６９】
前記第１５のギヤとしての揺動ギヤ１０３は、軸１１２を中心に揺動可能なギヤ支持部材１１３に取付けられている。前記ギヤ支持部材１１３は、ボス状の凸部１１４を備えていて、該ボス状の凸部１１４が、後に説明するギヤ切換機構１３１のギヤ切換部材に設けたカム溝１３８に係合している。前記ギヤ支持部材１１３は、前記ギヤ切換部材のスライドにより前記軸１１２を中心に回動して前記第１５のギヤとしての揺動ギヤ１０３を前記第１６のギヤ１０４に噛合させた状態と噛合を解除した状態に変位させるようになっている。
【００７０】
図２０に示すように、天面パネル５側の回転伝達部９５は、前記第１のアーム３４の回動中心である第１の軸４１の外周に回転自在に取付けられた第２４のギヤ１１５と、該第２４のギヤ１１５に噛合している第２５のギヤ１１６と、該第２５のギヤ１１６に噛合している第２６のギヤ１１７と、該第２６のギヤ１１７に噛合している第２７のギヤ１１８と、前記第２のアーム３５の回動中心である第２の軸４３の外周に回転自在に取付けられた第２８のギヤ１１９と、該第２８のギヤ１１９に噛合している第２９のギヤ１２０と、該第２９のギヤ１２０に噛合している第３０のギヤ１２１と、該第３０のギヤ１２１に噛合している第３１のギヤ１２２と、を備えている。前記天面パネル５側の回転伝達部９５は、図５に示すように、前記ディスクチャッキング機構２１のチャッキング部材支持アーム２３を天面パネル５上に所定の傾斜角度で起き上がらせた状態におけるチャッキング部材支持アーム２３の高さの範囲内に配置されている
そして、前記モータ９２を回転させると、前記ベースプレート側の回転伝達部９４及び天面パネル側の回転伝達部９５を介して前記第１のローラ３２及び第２のローラ３３が回転してディスクの搬送を行なうようになっている。
【００７１】
（７）ギヤ切換機構の構成
ギヤ切換機構は、前記ディスク搬送機構９１のモータ９２で次に説明するメカシャーシ昇降機構１５１を昇降させてディスクのチャッキング及びチャッキングの解除を行なうものである。換言するとディスク搬送機構９１の駆動に使用していたモータ９２の動力をメカシャーシ昇降機構の駆動に切換えるためのものである。
【００７２】
図２１に示すように、前記ギヤ切換機構１３１は、前記ディスク搬送機構９１の回転伝達部のギヤ群を構成する第１４のギヤ１０２と一体のピニオンギヤ１３２に噛合可能なラック１３４と、該ラック１３４によってスライド駆動されるギヤ切換部材１３５と、を備えている。
【００７３】
前記ラック１３４は、ディスクがディスク搬送機構９１によりディスクテーブル１２上に搬送されて来たときに前記ディスクセンタリング部材８１の操作部８３で押圧されてスライドして前記ピニオンギヤ１３２と噛合する直線状のギヤ１３３を備えている。
【００７４】
前記ラック１３４とギヤ切換部材１３５とは、長孔１３６とピン１３７によって連結されていて、前記ラック１３４がスライドしてピン１３７が長孔１３６の端部に当接するとラック１３４とギヤ切換部材１３５とは一体的にスライドするようになっている。
【００７５】
前記ギヤ切換部材１３５は、前記ディスク搬送機構９１の回転伝達部のギヤ群を構成する第１５のギヤとしての揺動ギヤ１０３を前記第１６のギヤ１０４に噛合させる第１の位置と、前記第１６のギヤ１０４との噛合を解除する第２の位置との間で移動させる揺動ギヤ切換用のカム溝１３８を備えている。
【００７６】
前記揺動ギヤ切換用のカム溝１３８は、ギヤ切換部材１３５のスライド方向に伸びて前記揺動ギヤ１０３を第１の位置に保持する第１の溝部１３９と、該第１の溝部１３９の一端部に連続して前記揺動ギヤ１０３を第１の位置から第２の位置に移動させる傾斜状の第２の溝部１４０と、該第２の溝部１４０の一端部に連続してギヤ切換部材１３５のスライド方向に伸びて前記揺動ギヤ１０３を第２の位置に保持する第３の溝部１４１と、を備えている。前記ギヤ支持部材１１３に設けたボス状の凸部１１４が前記第１の溝部１３９内に位置しているときに前記第１５のギヤとしての揺動ギヤ１０３を第１６のギヤ１０４に噛合させている。
【００７７】
ギヤ切換機構１３１は、上述のような構成であって、図２２に示すように、ディスクがディスク出入口から筐体内に挿入される前は、前記ギヤ支持部材１１３に設けたボス状の凸部１１４が前記第１の溝部１３９内に位置していて前記揺動ギヤ１０３を第１６のギヤ１０４に噛合させている。
【００７８】
そして、ディスクがディスク出入口３から筐体２内に挿入されて、ディスク搬送機構９１のスイッチが入り、ディスク搬送機構９１によりディスクが筐体内に搬送されて該ディスクの先端部でディスクセンタリング部材８１が押されて回動すると、図２３に示すように、ディスクセンタリング部材８１の庇状の舌片８９に設けた操作部８３で前記ラック１３４を押圧する。押圧されたラック１３４は、所謂トリガーが引かれた状態になって、ラック１３４のギヤ１３３が前記ディスク搬送機構９１の第１４のギヤ１０２と一体のピニオンギヤ１３２と噛合し該ピニオンギヤ１３２の回転によってスライドする。
【００７９】
前記ラック１３４が所定量スライドすると、図２４に示すように、前記長孔１３６の端部にピン１３７が当接してラック１３４と共にギヤ切換部材１３５がスライドする。ギヤ切換部材１３５が所定量スライドすると、前記ギヤ支持部材１１３に設けたボス状の凸部１１４は、前記第１の溝部１３９内から第２の溝部１４０を介して第３の溝部１４１内に移動する。
【００８０】
前記ギヤ支持部材１１３に設けたボス状の凸部１１４が前記第２の溝部１４０を通って第３の溝部１４１に移動するのであるがこの時に、ギヤ支持部材１１３は、軸１１２を中心にして回動して第１５のギヤとしての揺動ギヤ１０３と第１６のギヤ１０４の噛合を外す。従って、ディスク搬送機構９１の回転伝達機構９３の連繋が遮断されて、前記モータ９２による第１のローラ３２及び第２のローラ３３が回転は阻止される。そして、図２５に示すように、前記ボス状の凸部１１４が第３の溝部１４１内を移動する間にメカシャーシ１１の昇降等を行なう。
【００８１】
（８）メカシャーシ昇降機構の構成
メカシャーシ昇降機構は、ディスクセンタリング部材で前記ディスクテーブルの略真上に位置決めされたディスクに向けてメカシャーシを上昇させ、、該メカシャーシに搭載されているディスクテーブル上にディスクをチャッキングさせ、ディスクへの記録及び／又は再生終了後は、メカシャーシを下降させてディスクのチャッキングを解除し、ディスクをイジェクト可能にする。
【００８２】
図２６に示すように、メカシャーシ昇降機構１５１は、一端部を枢支軸１４によりベースプレート４に回動可能に取付けられているメカシャーシ１１の自由端側に設けたカム係合凸部１５２を前記ギヤ切換部材１３５の側面に設けたメカシャーシ昇降操作用のカム溝１５３に係合させることにより構成されている。
【００８３】
前記メカシャーシ昇降操作用のカム溝１５３は、メカシャーシ１１を下降位置（ディスクチャッキング解除位置）に保持する第１のカム溝部１５４と、該第１のカム溝部１５４の一端部に連続していてメカシャーシ１１を下降位置から上昇させる第２のカム溝部１５５と、該第２のカム溝部１５５の一端部に連続していてメカシャーシ１１を上昇位置（ディスクチャッキング位置）に保持する第３のカム溝部１５６と、を備えている。
【００８４】
ディスクがディスク出入口から筐体内に挿入される前は、図２６に示すように、メカシャーシ１１に設けたカム係合凸部１５２が前記第１のカム溝部１５４内に位置してメカシャーシ１１を下降位置（ディスクチャッキング解除位置）に保持している。
【００８５】
そして、ディスクがディスク出入口から筐体内に挿入されて、ディスク搬送機構９１のスイッチが入り、前記ラック１３４と共にギヤ切換部材１３５が所定量スライドすると、図２７に示すように、メカシャーシ１１に設けたカム係合凸部１５２が前記第１の溝部１５４内から第２の溝部１５５を介して第３の溝部１５６内に移動して、メカシャーシ１１を上昇位置（ディスクチャッキング位置）に保持する。
【００８６】
（９）搬送ローラ接離機構の構成
搬送ローラ接離機構は、ディスクチャッキング終了後に搬送ローラをディスクから離間させてディスクを回転フリーの状態にしてディスクへの記録及び／又は再生を行い、イジェクト時には、搬送ローラをディスクに接触させるためのものである。
【００８７】
図２２に示すように、搬送ローラ接離機構１６１は、前記ギヤ切換部材１３５の端部に長孔１６２とピン１６３とによって該長孔１６２の長さの範囲内でスライド可能に取付けられている回転カム操作体１６４と、該回転カム操作体１６４に設けられていて前記ギヤ切換部材１３５に設けた突起１６５が係合する第1，第2の突起係合部１６６，１６７と、前記スイッチ機構６１の回転カム６５に設けたローラ接離用の突起１６８と、からなっている。
【００８８】
そして、図２５に示すように、ディスクチャッキング終了後において、ギヤ切換部材１３５が継続的に移動すると、該ギヤ切換部材１３５のスライドによって、図２８に示すように、前記突起１６５が第2の突起係合部１６７に係合して回転カム操作体１６４をスライドさせる。前記回転カム操作体１６４がスライドすると該回転カム操作体１６４の端部に設けた突起係合部１６９が前記ローラ接離用の突起１６８に係合して前記回転カム６５を回転させる。
【００８９】
回転カム６５が回転すると、前記ディスク挿入ガイド機構３１の同期駆動用のギヤ群３８を介して前記第１のアーム３４と第２のアーム３５を互いに離間する方向に回動させて、これら第１のアーム３４と第２のアーム３５をディスクの周面から離して、ディスクを回転フリーの状態にする。なお、前記長孔１６２とピン１６３によって回転カム操作体１６４をギヤ切換部材１３５に相対移動可能に取付けたのはクチャッキング終了後において、搬送ローラをディスクに対して接離させる場合以外は回転カム６５に干渉しないようにするためである。
【００９０】
（１０）ディスク重複挿入防止機構の構成
ディスク重複挿入防止機構は、ディスクが既に筐体内に挿入されている場合においてディスク出入口を遮断してディスクが既に筐体内に挿入されていることを知らしめると共に、他のディスクを挿入不可能にするものであり、ディスク出入口の略中央部に設けられている。
【００９１】
図２９、図３０に示すように、ディスク重複挿入防止機構１７１は、ディスク出入口３を遮断可能なディスク挿入阻止部材１７２と、該ディスク挿入阻止部材１７２をディスク出入口３を遮断する位置に付勢している付勢部材１７３と、該付勢部材１７３の付勢力に抗してディスク挿入阻止部材１７２をディスク出入口３を遮断する位置からディスク出入口３を開放する位置に移動させるディスク挿入阻止部材操作機構１７４と、を備えている。
【００９２】
前記ディスク挿入阻止部材１７２は、ディスク出入口３の中央部に出し入れされる阻止部材本体部１７５と、該阻止部材本体部１７５を先端部に設けた基部１７６と、を備えていて、基部１７６が軸１７７によって前記ベースプレート４に回動可能に取付けられている。そして、前記軸１７７を中心にして基部１７６を一方向に回動させると、該基部１７６の先端部に設けた阻止部材本体部１７５がベースプレート４に設けた孔部１７８からディスク出入口３内に侵入して該ディスク出入口３の中央部を遮断するようになっている。前記ディスク挿入阻止部材１７２は、合成樹脂により一体的にモールド成形されていて、前記ディスク出入口３の中央部を遮断した状態において、挿入しようとするディスクによって押圧されると、前記阻止部材本体部１７５の先端部と基端部は、天面パネル側の開閉部材受け部１７９ａとベースプレート側の開閉部材受け部１７９ｂに押し付けられてディスクの重複挿入を阻止するようになっている。
【００９３】
前記付勢部材１７３は、一端部が前記基部１７６に係止され、他端部がベースプレート４に係止されていて、前記ディスク挿入阻止部材１７２に軸１７７を中心とする反時計方向の回動力を付与し、前記阻止部材本体部１７５をベースプレート４に設けた孔部１７８からディスク出入口３内に侵入させている。前記付勢部材１７３には、コイルスプリングが使用されている。
【００９４】
図３1に示すように、前記ディスク挿入阻止部材操作機構１７４は、前記基部１７６とベースプレート４の間に侵入して前記基部１７６を前記付勢部材１７３の付勢力に抗して押圧する細長い略台形状の凸部１８０を備えた押圧操作部１８１と、該押圧操作部１８１を設けたスライド部材１８２と、該スライド部材１８２の一側面に設けたラック状のギヤ１８３に噛合しているピニオン１８４と、を備えている。前記ピニオン１８４は、前記ギヤ切換部材１３５に設けたラック状のギヤ１８５に噛合している。
【００９５】
ディスクがディスク出入口３から筐体内に挿入される前は、図３０〜図３２に示すように、前記台形状の凸部１８０は、前記基部１７６とベースプレート４の間に侵入し、前記基部１７６を前記付勢部材１７３の付勢力に抗して前記基部１７６を押圧して、前記阻止部材本体部１７５をディスク出入口３から抜き出してディスク出入口３を開放している。
【００９６】
ディスクをディスク出入口３から筐体内に挿入すると、前述したように前記モータ９２のスイッチが入り、ディスク搬送機構９１によりディスクが搬送されてディスクセンタリング部材８１が回動し、該ディスクセンタリング部材８１で前記ラック１３４が押圧され、これがトリガーとなってギヤ切換部材１３５がスライドすると共に、該ギヤ切換部材１３５に設けた直線状のギヤ１８５に噛合しているピニオン１８４が回転し、該ピニオン１８４にラック状のギヤ１８３が噛合している前記スライド部材１８２も前記ギヤ切換部材１３５に連動してスライドする。そして、ギヤ切換部材１３５が、その側面に設けたメカシャーシ昇降操作用のカム溝１５３でメカシャーシ１１をディスクチャッキング位置に上昇させる位置までスライドして来ると、図２９及び図３３、図３４に示すように、前記スライド部材１８１は、前記押圧操作部１８１の台形状のカム部１８０が前記基部１７６とベースプレート４の間から抜け出て前記基部１７６の押圧を解除する。従って、前記基部１７６は、前記付勢部材１７６の付勢力によって回動して、阻止部材本体部１７５がベースプレート４に設けた孔部１７８からディスク出入口３内に侵入して該ディスク出入口３の中央部を塞ぐのである。上記実施例では阻止部材本体部１７５と基部１７６を合成樹脂で形成した場合を示したが、阻止部材本体部１７５に金属製のピンを使用し、該金属製のピンを合成樹脂製の基部１７６に植立させてもよい。
【００９７】
（１２）作用
次に、前記ディスク記録及び／又は再生装置の作用を８ｃｍのディスクを挿入した場合と、１２ｃｍのディスクを挿入した場合とに分けて説明する。
【００９８】
８ｃｍのディスクを挿入した場合
図３７に示すように、８ｃｍのディスク６をディスク出入口３から挿入すると、８ｃｍのディスク６の先端部が前記第１のローラ３２と第２のローラ３３の周面に当たる。８ｃｍのディスク６を更に挿入すると、前記第１のローラ３２と第２のローラ３３の間隔が押し広げられて行って、前記第１のアーム３４と第２のアーム３５が互いの間隔を広げるように回動する。このとき前記第１，第２のローラ３２，３３が８ｃｍのディスク６の周面に所謂食い付いた状態になる。前記第１のアーム３４、第２のアーム３５の回動により前記連動ギヤ群６６を介してスイッチ機構６１の回転カム６５が回転し、該回転カム６５に設けた第２のカム面７２で第１のスイッチ６２をＯＮ状態にする。第１のスイッチ６２がＯＮされると、ディスク搬送機構９１のモータ９２が回転し、前記回転伝達部９３を介してモータ９２の回転を前記第１のローラ３２及び第２のローラ３３に伝達する。
【００９９】
前記第１のローラ３２及び第２のローラ３３の回転により８ｃｍのディスク６は、筐体内に搬送されて行く。８ｃｍのディスク６が所定の位置まで搬送されてその先端部が第１のディスク当接部８２Ａに当接してこれを押すと、ディスクセンタリング部材８１は、前記軸８４を中心にして反時計方向に回動する。そして、前記８ｃｍのディスク６の中央部が前記ディスクテーブル１２の略真上に移動して来ると、ディスクセンタリング部材８１は、ストッパー８５により更なる回動を阻止されて、８ｃｍのディスク６の位置決めが行われる。
【０１００】
前記ディスクセンタリング部材８１が回動したときに、該ディスクセンタリング部材８１の庇状の舌片８９に設けた操作部８３でラック１３４を押圧する。この押圧がトリガーとなって、ラック１３４は、前記ディスク搬送機構９１の第１４のギヤ１０２と一体の小径ギヤ１３２と噛合してスライドする。
【０１０１】
前記ラック１３４が所定量スライドすると、前記長孔１３６の端部にピン１３７が当接してラック１３４と共にギヤ切換部材１３５がスライドする。ギヤ切換部材１３５が所定量スライドすると、前記ギヤ支持部材１１３に設けた軸１３８は、前記第１の溝部１４０内から第２の溝部１４１を介して第３の溝部１４２内に移動する。
【０１０２】
前記ギヤ支持部材１１３に設けた軸１３８が前記第３の溝部１４２内に移動することによって、ギヤ支持部材１１２は、軸１３８を中心に回動して第１５のギヤ１０３と第１６のギヤ１０４の噛合を外す。従って、ディスク搬送機構９１の回転伝達部９３の連繋は遮断されて、前記モータ９２による第１のローラ３２及び第２のローラ３３が回転は阻止される。
【０１０３】
ディスク搬送機構９１の回転伝達部９３の連繋が遮断された場合でも、前記モータ９２の回転は、前記第１のプーリ９６、該第１のプーリ９６に一端側を掛けられたエンドレスベルト９７、該エンドレスベルト９７の他端側が掛けられた第２のプーリ９８、該第２のプーリ９８の回転軸に設けられた第１１のギヤ９９、該第１１のギヤ９９に噛合している第１２のギヤ１００、該第１２のギヤ１００に噛合している第１３のギヤ１０１、該第１３のギヤ１０１に噛合している第１４のギヤ１０２、該第１４のギヤ１０２と一体の小径ギヤ１３２及びラック１３４を介してギヤ切換部材１３５に伝達され、該ギヤ切換部材１３５をスライドさせる。
【０１０４】
ギヤ切換部材１３５がスライドすると、前記メカシャーシ４の自由端側に設けたカム係合凸部１５２が前記ギヤ切換部材１３５の側面に設けられているメカシャーシ昇降操作用のカム溝１５３の第２のカム溝部１５５を介して第３のカム溝部１５６内に導入されてメカシャーシ４をディスクチャッキング位置に上昇させる。メカシャーシ４がディスクチャッキング位置に上昇すると、メカシャーシ４に設けた突起（図示省略）で前記アーム操作部材２７を操作して、該アーム操作部材２７によるチャッキング部材支持アーム２３の押圧を解除すると、チャッキング部材支持アーム２３は、捩りコイルバネ２８のバネ力で下降して天面パネル５の上面に重なる。このようなメカシャーシ４の上昇と、チャッキング部材支持アーム２３の下降によって、８ｃｍのディスク６は、ディスクテーブル１２上に載置されると共に、ディスクテーブル１２側に磁気吸着されたチャッキング部材２２によってディスクテーブル上にマグネットチャッキングされた状態になる。一方、前記ギヤ切換部材１３５のスライドによりラック状のギヤ１８５、ピニオン１８４、ラック状のギヤ１８３を介してスライド部材１８２がスライドし、該スライド部材１８２に設けた押圧操作部１８１の台形状のカム部１８０が前記基部１７６とベースプレート４の間から抜け出て前記基部１７６の押圧を解除することにより、前記阻止部材本体部１７５は、付勢部材１７３としてのコイルスプリングのバネ力でベースプレート４に設けた孔部１７８からディスク出入口３の内側に侵入して該ディスク出入口３の中央部を塞ぐと共に、前記メカシャーシロック機構１９１のチャッキング時ロック部１９９でメカシャーシ１１をディスクチャッキング位置にロックする。
【０１０５】
８ｃｍのディスク６がディスクテーブル１２上にマグネットチャッキングされたのち、前記ギヤ切換部材１３５が更にスライドすると、図２８に示すように、前記ギヤ切換部材１３５に組付けた回転カム操作体１６４の端部に設けた突起係合部１６９が回転カム６５に設けたローラ接離用の突起１６８に係合して回転カム６５を回転させる。
【０１０６】
回転カム６５の回転により、前記ディスク挿入ガイド機構３１の同期駆動用のギヤ群３８を介して前記第１のアーム３４と第２のアーム３５を互いに離間する方向に回動させて、図３８に示すように、前記これら第１のアーム３４と第２のアーム３５を８ｃｍのディスク６の周面から離して、該ディスクを回転フリーの状態にする。そして、８ｃｍのディスクの記録及び／又は再生を行なう。
【０１０７】
記録及び／又は再生終了後に、イジェクト釦を押すと前記モータ９２が逆転して、前記ディスク挿入時とは、逆の動作が行われて８ｃｍのディスク６は、ディスク出入口３側に排出されると共に、前記メカシャーシロック機構１９１のチャッキング解除時ロック部１９２でメカシャーシ１１をディスクチャッキング解除位置にロックする。
【０１０８】
１２ｃｍのディスクを挿入した場合
図３９に示すように、１２ｃｍのディスク７をディスク出入口３から挿入すると、１２ｃｍのディスク７の先端部が前記第１のローラ３２と第２のローラ３３の周面に当たる。１２ｃｍのディスク７を更に挿入すると、前記第１のローラ３２と第２のローラ３３の間隔が押し広げられて行って、前記第１のアーム３４と第２のアーム３５が互いの間隔を広げるように回動する。前記第１のアーム３４の回動により前記連動ギヤ群６６を介してスイッチ機構６１の回転カム６５が回転し、該回転カム６５に設けた第２のカム面７２で第１のスイッチ６２をＯＮ状態にする。第１のスイッチ６２がＯＮされると、ディスク搬送機構９１のモータ９２が回転し、前記回転伝達部９３を介してモータ９２の回転を前記第１のローラ３２及び第２のローラ３３に伝達する。
【０１０９】
前記第１のローラ３２及び第２のローラ３３の回転により１２ｃｍのディスク７は、筐体内に搬送されて行って、前記第１のアーム３４と第２のアーム３５は、互いの間隔を広げるように回動する。１２ｃｍのディスク７は、８ｃｍのディスク６に比べて直径が４ｃｍ大きいのでそのぶん余計に前記第１のアーム３４と第２のアーム３５が回動するので、スイッチ機構６１の回転カム６５も８ｃｍのディスク６の場合に比べて余計に回転する。この回転により第３のカム面７３で第２のスイッチ６３もＯＮ状態になる。第１のスイッチ６２と第２のスイッチ６３が共にＯＮ状態になることにより、１２ｃｍのディスク７は、搬送スピードの上昇が図られる。
【０１１０】
そして、前記１２ｃｍのディスク７の中央部が前記ディスクテーブル１２の略真上に移動して来ると、ディスクセンタリング部材８１は、ストッパー８５により更なる回動を阻止されて、１２ｃｍのディスク７の位置決めが行われる。イジェクト時には、前記モータ９２が逆転して、前記ディスク挿入時とは、逆の動作が行われて１２ｃｍのディスク６は、ディスク出入口３側に排出される。
【図面の簡単な説明】
【０１１１】
【図１】本発明の記録及び／又は再生装置の斜視図。
【図２】本発明の記録及び／又は再生装置を裏側から見た斜視図。
【図３】メカシャーシがディスクチャッキング解除位置にある状態の側面図。
【図４】メカシャーシがディスクチャッキング位置にある状態の側面図。
【図５】ディスクチャッキング機構の断面図。（チャッキング解除位置）。
【図６】ディスクチャッキング機構の断面図。（チャッキング位置）。
【図７】ディスク挿入ガイド機構の平面図。
【図８】第１，第２のアームが最も開いた状態の平面図。
【図９】第１，第２のローラの側面図。
【図１０】スイッチ機構の説明図（第１，第２のスイッチがＯＦＦ状態）。
【図１１】スイッチ機構の説明図（第１のスイッチがＯＮ，第２のスイッチがＯＦＦ状態）。
【図１２】スイッチ機構の説明図（第１，第２のスイッチがＯＮ状態）。
【図１３】回転カムとディスクセンタリング部材の斜視図。
【図１４】回転カムとディスクセンタリング部材を裏側から見た斜視図。
【図１５】８mmのディスクがディスクセンタリング部材に当接した状態を示す説明図。
【図１６】８mmのディスクがディスクセンタリングされた状態を示す説明図。
【図１７】１２mmのディスクがディスクセンタリング部材に当接した状態を示す説明図。
【図１８】１２mmのディスクがディスクセンタリングされた状態を示す説明図。
【図１９】ベースプレート側の回転伝達部を示す平面図。
【図２０】天面プレート側の回転伝達部を示す平面図。
【図２１】ギヤ切換機構およびディスクセンタリング部材の要部の斜視図。
【図２２】ギヤ切換機構の作用を示す説明図。
【図２３】ギヤ切換機構の作用を示す説明図。
【図２４】ギヤ切換機構の作用を示す説明図。
【図２５】ギヤ切換機構の作用を示す説明図。
【図２６】ディスク昇降機構の略示的説明図（ディスクチャッキング解除状態）。
【図２７】ディスク昇降機構の略示的説明図（ディスクチャッキング状態）。
【図２８】ディスク接離機構が作動した状態の説明図。
【図２９】ディスク重複挿入防止機構によりディスク出入口を遮断した状態を示す説明図。
【図３０】ディスク重複挿入防止機構によりディスク出入口を開放した状態を示す説明図。
【図３１】ディスク重複挿入防止機構の要部の平面図（ディスク出入口の開放状態）。
【図３２】図３１のＡ−Ａ断面図。
【図３３】ディスク重複挿入防止機構の要部の平面図（ディスク出入口の遮断状態）。
【図３４】図３３のＢ−Ｂ断面図。
【図３５】メカシャーシをディスクチャッキング解除位置にロックしている状態の斜視図。
【図３６】メカシャーシをディスクチャッキング位置にロックしている状態の斜視図。
【図３７】８mmのディスクを搬送している状態の平面図。
【図３８】ディスクから搬送ローラが離れた状態の平面図。
【図３９】１２mmのディスクを搬送している状態の平面図。
【符号の説明】
【０１１２】
１…ディスク記録及び／又は再生装置、２…筐体、３…ディスク出入口、４…ベースプレート、５…天面パネル、６…８mmのディスク、７…１２mmのディスク、１１…メカシャーシ、１２…ディスクテーブル、１３…光学ピックアップ、２１…ディスクチャッキング機構、２２…チャッキング部材、２３…チャッキング部材支持アーム、９１…ディスク搬送機構、９２…モータ、９３…回転伝達部、９４…ベースプレート側の回転伝達部、９５…天面プレート側の回転伝達部。
【図１】
2005044444.tif 000003
【図２】
2005044444.tif 000004
【図３】
2005044444.tif 000005
【図４】
2005044444.tif 000006
【図５】
2005044444.tif 000007
【図６】
2005044444.tif 000008
【図７】
2005044444.tif 000009
【図８】
2005044444.tif 000010
【図９】
2005044444.tif 000011
【図１０】
2005044444.tif 000012
【図１１】
2005044444.tif 000013
【図１２】
2005044444.tif 000014
【図１３】
2005044444.tif 000015
【図１４】
2005044444.tif 000016
【図１５】
2005044444.tif 000017
【図１６】
2005044444.tif 000018
【図１７】
2005044444.tif 000019
【図１８】
2005044444.tif 000020
【図１９】
2005044444.tif 000021
【図２０】
2005044444.tif 000022
【図２１】
2005044444.tif 000023
【図２２】
2005044444.tif 000024
【図２３】
2005044444.tif 000025
【図２４】
2005044444.tif 000026
【図２５】
2005044444.tif 000027
【図２６】
2005044444.tif 000028
【図２７】
2005044444.tif 000029
【図２８】
2005044444.tif 000030
【図２９】
2005044444.tif 000031
【図３０】
2005044444.tif 000032
【図３１】
2005044444.tif 000033
【図３２】
2005044444.tif 000034
【図３３】
2005044444.tif 000035
【図３４】
2005044444.tif 000036
【図３５】
2005044444.tif 000037
【図３６】
2005044444.tif 000038
【図３７】
2005044444.tif 000039
【図３８】
2005044444.tif 000040
【図３９】
2005044444.tif 000041